(57)【要約】【課題】ユーザが地上デジタル放送で放送される番組と誤って地デジ難視対策衛星放送の番組を視聴予約又は録画予約する操作を行っても、視聴又は録画の失敗を防止することが可能なデジタル放送受信装置を提供する。【解決手段】デジタル放送受信装置の予約処理部１５は、電子番組表からのユーザ操作に基づき放送番組の視聴予約又は録画予約の設定を行う予約設定部と、その設定に従って放送番組の出力又は放送番組の録画を実行する予約実行部とを備える。予約設定部は、電子番組表から再送信番組に対して視聴予約又は録画予約を行うユーザ操作を受けた場合、その再送信番組に対応する地上デジタル放送の放送番組について、視聴予約又は録画予約の設定を行う。【選択図】図１
2012019375.tif 000002
【特許請求の範囲】
【請求項１】
地上デジタル放送と、該地上デジタル放送で放送される放送番組についての再送信番組を含む衛星デジタル放送とを受信可能なデジタル放送受信装置であって、
該デジタル放送受信装置は、電子番組表からのユーザ操作に基づき放送番組の視聴予約又は録画予約の設定を行う予約設定部と、該設定に従って放送番組の出力又は放送番組の録画を実行する予約実行部と、を備え、
前記予約設定部は、前記電子番組表から前記再送信番組に対して視聴予約又は録画予約を行うユーザ操作を受けた場合、該再送信番組に対応する前記地上デジタル放送の放送番組について、視聴予約又は録画予約の設定を行うことを特徴とするデジタル放送受信装置。
【請求項２】
請求項１に記載のデジタル放送受信装置において、前記予約設定部は、前記衛星デジタル放送による再送信番組についての受信契約情報が存在するか否かを判定し、存在しなかった場合のみ、前記再送信番組に対応する前記地上デジタル放送の放送番組について視聴予約又は録画予約の設定を行い、存在した場合には、前記再送信番組についてそのまま視聴予約又は録画予約の設定を行うことを特徴とするデジタル放送受信装置。
【請求項３】
請求項１に記載のデジタル放送受信装置において、前記予約設定部は、前記衛星デジタル放送による再送信番組についての受信契約情報が存在するか否かを判定し、
存在した場合には、前記再送信番組についてそのまま視聴予約又は録画予約の設定を行い、
存在しなかった場合には、前記再送信番組に対応する前記地上デジタル放送の放送番組について視聴予約又は録画予約の設定を行うか否かをユーザに問い合わせ、設定を行う旨のユーザ操作があった場合のみ、前記再送信番組に対応する前記地上デジタル放送の放送番組について視聴予約又は録画予約の設定を行い、設定を行わない旨のユーザ操作があった場合には、視聴予約又は録画予約の設定を実行しないことを特徴とするデジタル放送受信装置。
【請求項４】
請求項１に記載のデジタル放送受信装置において、前記予約設定部は、前記再送信番組に対応する前記地上デジタル放送の放送番組について視聴予約又は録画予約の設定を行うか、前記再送信番組についてそのまま視聴予約又は録画予約の設定を行うかを、ユーザに問い合わせ、前記再送信番組に対応する前記地上デジタル放送の放送番組について視聴予約又は録画予約の設定を行う旨のユーザ操作があった場合のみ、前記再送信番組に対応する前記地上デジタル放送の放送番組について視聴予約又は録画予約の設定を行い、前記再送信番組についてそのまま視聴予約又は録画予約の設定を行う旨のユーザ操作があった場合には、前記再送信番組についてそのまま視聴予約又は録画予約の設定を行うことを特徴とするデジタル放送受信装置。
【請求項５】
請求項１〜４のいずれか１項に記載のデジタル放送受信装置において、前記デジタル放送受信装置は、前記地上デジタル放送で放送される放送番組についての再送信番組を含む、ＩＰテレビ放送を受信可能とし、前記予約設定部は、前記ＩＰテレビ放送の放送番組を並べた電子番組表から前記再送信番組に対して視聴予約又は録画予約を行うユーザ操作を受けた場合、該再送信番組に対応する前記地上デジタル放送の放送番組について、視聴予約又は録画予約の設定を行うことを特徴とするデジタル放送受信装置。
【発明の詳細な説明】
【技術分野】
【０００１】
本発明は、デジタル放送受信装置に関し、より詳細には、電子番組表から視聴予約又は録画予約を行うことが可能なデジタル放送受信装置に関する。
【背景技術】
【０００２】
従来から、デジタル放送受信装置は、電子番組表（Electronic Program Guide：ＥＰＧ）からの視聴予約や録画予約を設定することが可能になっている。また、デジタル放送受信装置には、地上デジタル放送、ＢＳ（Broadcasting Satellite）デジタル放送、ＣＳ（Communication Satellite）デジタル放送など、異なる放送形態の放送波を受信可能に構成されているものが多い。
【０００３】
一方、現在、日本国における地上波のテレビジョン放送はアナログ放送からデジタル放送への移行時期にさしかかっており、一部で地上デジタル放送が受信できない地域（難視聴地域）が存在する。そのため、日本国内では、暫定的難視聴対策事業としての地デジ難視対策衛星放送が開始され、ＢＳデジタル放送を利用して地上デジタル放送の番組が再送信（同時放送）されている。これにより、地上デジタル放送の難視聴地域でも地上デジタル放送用の番組を視聴することが可能になっている。なお、この地デジ難視対策衛星放送は、地上デジタル放送の難視聴世帯向けの放送であって、難視聴世帯にのみ視聴可能になっており、視聴するためには視聴登録を行い、デジタル放送受信装置内、例えばＢ−ＣＡＳカード内にその契約情報を登録しておく必要がある。
【０００４】
また、地デジ難視対策衛星放送の開始により、難視聴世帯でなくとも再送信番組がＢＳデジタル放送のＥＰＧに含まれるようになっており、難視聴世帯のユーザにとっては必要であるが、一般ユーザにとっては余計な番組が選択対象として表示されるため操作が面倒になる。
【０００５】
特許文献１には、受託放送事業者単位でＥＰＧを非表示に設定したりＵＰ／ＤＯＷＮ選局を不可に設定する技術が開示されている。この技術により、地デジ難視対策衛星放送に係わる受託放送事業者から放送された番組について、ＥＰＧ表示やＵＰ／ＤＯＷＮ選局ができないように、ユーザ設定することができるようになる。
【先行技術文献】
【特許文献】
【０００６】
【特許文献１】特開２００９−１１８３０８号公報
【発明の概要】
【発明が解決しようとする課題】
【０００７】
しかしながら、地デジ難視対策衛星放送をＥＰＧに表示しないように設定していない場合には、一般のユーザが地上デジタル放送で放送される番組を視聴予約や録画予約する際に、視聴できない地デジ難視対策衛星放送の番組を選択してしまうといった誤操作を防ぐことができない。そして、この誤動作により視聴や録画は失敗に終わってしまう。
【０００８】
本発明は、上述のような実状に鑑みてなされたものであり、その目的は、ユーザが地上デジタル放送で放送される番組と誤って地デジ難視対策衛星放送の番組を視聴予約又は録画予約する操作を行っても、視聴又は録画の失敗を防止することが可能なデジタル放送受信装置を提供することにある。
【課題を解決するための手段】
【０００９】
上記課題を解決するために、本発明の第１の技術手段は、地上デジタル放送と、該地上デジタル放送で放送される放送番組についての再送信番組を含む衛星デジタル放送とを受信可能なデジタル放送受信装置であって、該デジタル放送受信装置は、電子番組表からのユーザ操作に基づき放送番組の視聴予約又は録画予約の設定を行う予約設定部と、該設定に従って放送番組の出力又は放送番組の録画を実行する予約実行部と、を備え、前記予約設定部は、前記電子番組表から前記再送信番組に対して視聴予約又は録画予約を行うユーザ操作を受けた場合、該再送信番組に対応する前記地上デジタル放送の放送番組について、視聴予約又は録画予約の設定を行うことを特徴としたものである。
【００１０】
第２の技術手段は、第１の技術手段において、前記予約設定部は、前記衛星デジタル放送による再送信番組についての受信契約情報が存在するか否かを判定し、存在しなかった場合のみ、前記再送信番組に対応する前記地上デジタル放送の放送番組について視聴予約又は録画予約の設定を行い、存在した場合には、前記再送信番組についてそのまま視聴予約又は録画予約の設定を行うことを特徴としたものである。
【００１１】
第３の技術手段は、第１の技術手段において、前記予約設定部は、前記衛星デジタル放送による再送信番組についての受信契約情報が存在するか否かを判定し、存在した場合には、前記再送信番組についてそのまま視聴予約又は録画予約の設定を行い、存在しなかった場合には、前記再送信番組に対応する前記地上デジタル放送の放送番組について視聴予約又は録画予約の設定を行うか否かをユーザに問い合わせ、設定を行う旨のユーザ操作があった場合のみ、前記再送信番組に対応する前記地上デジタル放送の放送番組について視聴予約又は録画予約の設定を行い、設定を行わない旨のユーザ操作があった場合には、視聴予約又は録画予約の設定を実行しないことを特徴としたものである。
【００１２】
第４の技術手段は、第１の技術手段において、前記予約設定部は、前記再送信番組に対応する前記地上デジタル放送の放送番組について視聴予約又は録画予約の設定を行うか、前記再送信番組についてそのまま視聴予約又は録画予約の設定を行うかを、ユーザに問い合わせ、前記再送信番組に対応する前記地上デジタル放送の放送番組について視聴予約又は録画予約の設定を行う旨のユーザ操作があった場合のみ、前記再送信番組に対応する前記地上デジタル放送の放送番組について視聴予約又は録画予約の設定を行い、前記再送信番組についてそのまま視聴予約又は録画予約の設定を行う旨のユーザ操作があった場合には、前記再送信番組についてそのまま視聴予約又は録画予約の設定を行うことを特徴としたものである。
【００１３】
第５の技術手段は、第１〜第４のいずれか１の技術手段において、前記デジタル放送受信装置は、前記地上デジタル放送で放送される放送番組についての再送信番組を含む、ＩＰテレビ放送を受信可能とし、前記予約設定部は、前記ＩＰテレビ放送の放送番組を並べた電子番組表から前記再送信番組に対して視聴予約又は録画予約を行うユーザ操作を受けた場合、該再送信番組に対応する前記地上デジタル放送の放送番組について、視聴予約又は録画予約の設定を行うことを特徴としたものである。
【発明の効果】
【００１４】
本発明に係るデジタル放送受信装置によれば、ユーザが地上デジタル放送で放送される番組と誤って地デジ難視対策衛星放送の番組を視聴予約又は録画予約する操作を行っても、視聴又は録画の失敗を防止することが可能になる。
【図面の簡単な説明】
【００１５】
【図１】本発明の一実施形態に係るテレビ装置の一構成例を示すブロック図である。
【図２】図１のテレビ装置で表示されるＥＰＧの一例を示す図である。
【図３】図１のテレビ装置における予約処理の一例を説明するためのフロー図である。
【図４】図３の予約処理において判定に使用されるテーブルの一例を示す図である。
【図５】図１のテレビ装置における予約処理の他の例を説明するためのフロー図である。
【図６】図５の予約処理で表示する問い合わせ画面の一例を示す図である。
【図７】図１のテレビ装置における予約処理の他の例を説明するためのフロー図である。
【図８】図７の予約処理で表示する問い合わせ画面の一例を示す図である。
【発明を実施するための形態】
【００１６】
本発明に係るデジタル放送受信装置は、地上デジタル放送と衛星デジタル放送とが受信可能な装置であって、それらのデジタル放送から音声又は映像及び音声やデータを出力可能な装置であればよく、例えば、デジタルテレビ装置、レコーダ、チューナ、ＳＴＢ（Set Top Box）などの様々な機器が適用できる。ここで、衛星デジタル放送には地デジ難視対策衛星放送が含まれており、地上デジタル放送で放送される放送番組についての再送信番組が放送されているものとする。無論、衛星デジタル放送ではそれ以外の番組も放送されている。
【００１７】
以下、本発明に係るデジタル放送受信装置として、デジタルテレビ装置（以下、単に「テレビ装置」という）を挙げて説明するが、他の機器にも同様の説明が適用できる。例えば、レコーダ、チューナ、ＳＴＢなど映像表示装置を備えず映像表示装置に接続する機器では、以下の説明において、映像表示装置への映像信号の出力で処理を終了させればよい。また、以下の説明では衛星デジタル放送としてＢＳデジタル放送を例に挙げて説明するが、ＣＳデジタル放送など、他の衛星デジタル放送を採用してもよい。
【００１８】
図１は、本発明の一実施形態に係るテレビ装置の一構成例を示すブロック図、図２は、図１のテレビ装置で表示されるＥＰＧの一例を示す図である。図１で例示するテレビ装置１は、キー入力処理部１１、メニュー処理部１２、選局処理部１３、ＥＰＧ情報処理部１４、予約処理部１５、チューナ１６、デマルチプレクサ（ＤＥＭＵＸ）１７、復号器１８、映像音声処理部１９、映像出力部２０、及び音声出力部２１を備えている。なお、各部の一部、例えばメニュー処理部１２、選局処理部１３、ＥＰＧ情報処理部１４、及び予約処理部１５などは１つのシステムマイコンなどとして構成してもよく、少なくとも本発明に係る後述の予約処理を含むような処理を実行するためのプログラムを組み込むことで実現してもよい。また、テレビ装置１は、映像出力部２０に接続された映像表示装置と音声出力部２１に接続されたスピーカとを備えるものとする（図示せず）。
【００１９】
また、テレビ装置１はリモコン１０により操作可能となっている。リモコン１０は、例えば、電源ボタン、テレビ装置１の各種設定を行うメニュー画面を表示させるメニューボタン、ワンタッチボタンの番号に対応するダイレクト選局ボタン（チャンネルボタン）、３桁チャンネル番号に対応した放送サービス（放送チャンネル）をＵＰ／ＤＯＷＮにより選局するＵＰ／ＤＯＷＮ選局ボタン、ＥＰＧを表示させるためのＥＰＧボタン、メニュー画面やＥＰＧ画面等においてカーソルを上下左右に移動するための各方向ボタン、カーソル位置の内容に決定することで設定や画面移行を行うための決定ボタン、前の画面に戻ったり設定をキャンセルしたりするためのキャンセルボタン、入力ソースを切り換える入力切換ボタン等の各種ボタン（キー）を備えている。
【００２０】
なお、入力ソースの切り換えとは、例えばＢＳデジタル放送、地上デジタル放送、第１外部入力端子、第２外部入力端子等のテレビ装置１に具備される入力ソースの中から、映像・音声を出力するソースを選択することを指す。ＢＳデジタル放送又は地上波デジタル放送が選択された場合、ダイレクト選局ボタン、ＵＰ／ＤＯＷＮ選局ボタンなどの押下に応じて、選択された入力ソース中での選局がなされる。
【００２１】
リモコン１０は、テレビ装置１のユーザによって操作され、テレビ装置１に対してその操作に対応した操作信号を送信する。リモコン１０による操作信号はキー入力処理部１１に具備される受信部で受信される。キー入力処理部１１は、受信した操作信号を解析し操作信号に対応した制御信号を、メニュー処理部１２、選局処理部１３、ＥＰＧ情報処理部１４、及び予約処理部１５のいずれか１又は複数に出力する。このように、リモコン１０及びキー入力処理部１１は、受信するデジタル放送に対して選局操作、ＥＰＧ表示操作、視聴予約や録画予約の設定を行う操作などを、ユーザから受け付ける。テレビ装置１の本体に取付けられているキー又はボタン等でも同様の操作を可能にしておいてもよい。
【００２２】
メニュー処理部１２は、ユーザがリモコン１０のメニューボタンを押下することにより、その制御信号をキー入力処理部１１から受信する。そして、メニュー処理部１２は、その制御信号に応じて映像出力部２０に対してメニュー画像のＯＳＤ（On Screen Display）表示を指示する。メニュー処理部１２は、メニュー画像によるメニュー画面の表示後、その表示を終了させるまで、リモコン１０からの操作信号に対応した制御信号を受信し、メニュー画像の変更、及び各種設定値の変更などの処理を行う。設定値は、メニュー処理部１２の内部又は外部に設けられたＥＥＰＲＯＭ（Electrically Erasable and Programmable Read Only Memory）等の不揮発性メモリに格納しておけばよい。
【００２３】
選局処理部１３は、ユーザがリモコン１０のワンタッチボタン、ＵＰ／ＤＯＷＮ選局ボタン、若しくは３桁入力ボタン及び数字ボタンなどの操作により、視聴したい放送サービスを特定した場合に、その放送サービスのチャンネル番号を示す制御信号をキー入力処理部１１から受信する。そして、選局処理部１３は、その制御信号に応じたサービスＩＤ（ｓｅｒｖｉｃｅ＿ｉｄ）へ変換する。
【００２４】
選局処理部１３は、予めＮＩＴ（network information table）より取得し内部メモリに記憶しておいたサービスＩＤと、周波数、ＴＳ＿ｉｄ等との対応関係を示す選局情報から、ユーザ操作により指示のあったサービスＩＤの周波数、ＴＳ＿ｉｄを求め、求めた周波数とＴＳ＿ｉｄをチューナ１６にセットする。これによって、セットしたＴＳ＿ｉｄのトランスポートストリーム（ＴＳ）信号がチューナ１６より出力される。すると、後述するＰＳＩ（Program Specific Information）がＤＥＭＵＸ１７から選局処理部１３に出力され、選局すべきｓｅｒｖｉｃｅ＿ｉｄに関する音声ストリーム及び映像ストリームを指定するための情報が得られる。この値でＤＥＭＵＸ１７を設定することで映像音声処理部１９へ、選局すべきｓｅｒｖｉｃｅ＿ｉｄに関する音声ストリーム及び映像ストリームが出力される。選局処理部１３は、これに伴った処理のスタート／ストップを映像音声処理部１９へ指示することや、映像、音声の出力する／しないを映像出力部２０、音声出力部２１に指示を行う。
【００２５】
チューナ１６は、例えば周波数変換器を備えたアンテナ（図示せず）に接続されている。アンテナは、ＢＳからＴＳパケット形式で放送されるデジタル放送信号を受信して、周波数変換した信号をチューナ１６に出力する。チューナ１６は、復調回路、逆インタリーブ回路、誤り訂正回路等を備えており、映像・音声等のデータを含む高周波デジタル変調信号のうちから特定周波数（特定の伝送チャンネル）の指定したＴＳ信号を取り出す処理を実行する。また、ＢＳデジタル放送での地上デジタル放送の再送信番組も同様にして受信できる。
【００２６】
また、テレビ装置１には、受信したデジタル放送のうちＣＡ（Conditional Access）システムを利用した有料放送及びコンテンツ権利保護システムＲＭＰ（Rights Management and Protection）のために暗号化された放送サービスの映像及び音声の復号のために、契約情報に基づき復号する装置（図示せず）が具備されている。復号する装置の一例としてＢ−ＣＡＳカードシステムを具備している場合、Ｂ−ＣＡＳカード読取部は、テレビ装置１での地上デジタル放送やＢＳデジタル放送の契約情報が記録されたＢ−ＣＡＳカードが挿入可能となっており、挿入されたＢ−ＣＡＳカードに放送波から取得したＥＣＭ（Entitlement Control Message）を渡すことによって、暗号化されたサービスを復号する鍵を、復号器１８へ渡す。これによって暗号化されたサービスが復号される。
【００２７】
そして、地上デジタル放送の難視聴地域で使用されるテレビ装置１のＢ−ＣＡＳカードには、地上デジタル放送の再送信を行うＢＳデジタル放送の伝送チャンネルに対し視聴を許可する情報が登録処理により記録され、一方、難視聴地域以外のＢ−ＣＡＳカードには同伝送チャンネルに対し復号するための鍵がないため暗号化された状態のままになる。そのため、Ｂ−ＣＡＳカードの契約情報によっては、難視聴地域以外の地域において、ＢＳデジタル放送の伝送チャンネルを用いて再送信された地上デジタル放送の映像・音声に対しては出力制限が可能である。但し、通常、ＳＩ（Service Information）に対する出力制限は運用しないため、ＥＰＧを表示する際にもその難視聴対策衛星放送番組の情報が表示されることになる。
【００２８】
ＤＥＭＵＸ１７は、チューナ１６から出力されたＭＰＥＧ（Moving Picture Experts Group）−２のＴＳパケットのストリームを、映像（ビデオ）ストリーム、音声（オーディオ）ストリーム、データストリーム、制御ストリームに分離する。また、ＤＥＭＵＸ１７は、選局処理部１３からの指示に従って、指定されたｓｅｒｖｉｃｅ＿ｉｄの音声ストリーム及び映像ストリームを映像音声処理部１９に出力する。また、復号器１８は、Ｂ−ＣＡＳカード読取部から得た鍵情報で視聴が許可されている放送に対し、チューナ１６で受信した暗号化された映像及び音声を復号する。この暗号化されたＴＳパケットに対し、復号するための復号鍵を取り出し、復号器１８に渡すことで復号する。
【００２９】
ＥＰＧ画像を生成するために用いる番組情報は、ＳＩ中の主にＥＩＴ（Event Information Table）のＴＳパケットとして受信される。ここでＢＳデジタル放送の場合、全放送局の番組情報がＳＩに含まれ、再送信ではない通常の地上デジタル放送の場合、各放送局の番組情報がＳＩに含まれる。また、制御ストリームは、ＰＳＩのＴＳパケットとして受信される。ＤＥＭＵＸ１７は、データストリームをＥＰＧ情報処理部１４に出力し、制御ストリームを選局処理部１３に出力する。
【００３０】
ＰＳＩにはＮＩＴも含まれ、さらには、映像音声処理部１９で処理すべきＴＳパケットの特定情報が含まれる。ＳＩ内の情報は、主にＥＰＧを表示するために使用するためＥＰＧ情報処理部１４で利用される。ＳＩのＴＳパケットはデスクランブル処理を施す必要がないため、ＤＥＭＵＸ１７の後段でＢ−ＣＡＳカードの契約情報に拘わらずそのＴＳパケット内の情報を取得し使用することができる。
【００３１】
ＥＰＧ情報処理部１４は、ユーザがリモコン１０でＥＰＧボタンを押下するなどのＥＰＧ画像表示操作を行うことにより、その制御信号をキー入力処理部１１から受信する。そして、ＥＰＧ情報処理部１４は、その制御信号に応じてＳＩから番組情報を得て、全放送サービス分の番組情報からＥＰＧ画像を生成し、映像出力部２０に対してＥＰＧ画像のＯＳＤ表示を指示する。ここで、番組情報は受信信号から直接得るのではなく後述のＥＰＧデータベースから得るようにしてもよい。テレビ装置１のようにＢＳデジタル放送が受信可能な構成では、上述のごとく難視聴地域であるか否かに拘わらず地上デジタル放送の再送信に対してもこのＯＳＤ表示が可能となる。
【００３２】
図２で示すＥＰＧ３０は、ＢＳデジタル放送の番組表であり、例えばチャンネル欄３８に含まれる番組のような通常のＢＳデジタル放送番組の他に、例えばチャンネル欄３１〜３７に含まれる番組のような難視聴対策衛星放送番組の情報も表示されることになる。これは、上述したように、ＳＩに対する出力制限をしないためである。ＥＰＧ３０は、同列に同じチャンネルの番組情報が記述され、同行で同時刻を表している。
【００３３】
例えば、チャンネル欄３１には、地上デジタル放送で放送されるＳＨＫ総合・東京の再送信チャンネルであって、サービスＩＤが「２９１」で規定されるサービスについて、午後８時〜午前２時に放送される合計４つの番組が記述されている。サービスＩＤは、３桁チャンネル番号に対応している。また、チャンネル欄３８には、通常のＢＳデジタル放送として放送されるＳＨＫ総合・ＢＳ１のチャンネルであって、ワンタッチチャンネル番号が「１」、サービスＩＤが「１０１」で規定されるサービスについて、午後８時〜午前２時に放送される合計４つの番組が記述されている。各チャンネル欄３１〜３８には放送局のロゴも表示されている。無論、ＥＰＧ３０において行列を入れ替えた番組表を採用してもよい。
【００３４】
また、ＥＰＧ情報処理部１４は、ＥＰＧ画像によるＥＰＧ画面の表示後、その表示を終了させるまで、リモコン１０からの操作信号に対応した制御信号を受信し、ＥＰＧ画像の変更処理などの処理を行う。例えば図２では、番組４０がユーザにより選択された状態を示しており、その際、番組４０の詳細な情報が選択番組情報表示欄４１にも表示されている。ＥＰＧ３０では、上下の方向ボタンの操作により時間軸を変えることができ、左右の方向ボタンの操作により表示チャンネルを変えることができる。そして、ＥＰＧ情報処理部１４は、決定ボタン等によって録画予約又は視聴予約される番組が決定したときには、後述の予約処理部１５に録画予約処理又は視聴予約処理を依頼する。なお、録画予約と視聴予約の双方が実行可能な構成では、決定ボタン後にいずれかの予約であるかをユーザ選択できるようにしておけばよい。
【００３５】
番組情報を取得するために、ＥＰＧ情報処理部１４は番組情報用のデコーダを有する。そして、ＥＰＧ情報処理部１４は、チューナ１６からＤＥＭＵＸ１７経由で出力されるＴＳパケットのうちＳＩのＥＩＴに関するＴＳパケットを取り込み、番組情報用のデコーダでデコードして、内部メモリに蓄積する。ＢＳデジタル放送の場合、全ての放送サービスの番組情報が一度に送信されているため、一度に全番組情報を内部メモリに蓄積できる。このように全放送サービス分蓄積された番組情報を、以下、ＥＰＧデータベース（ＥＰＧ ＤＢ）と呼ぶ。このＥＰＧ ＤＢは例えば一日単位で書き換えられる。１つのＥＩＴには、１サービスＩＤに関する一定期間に放送される番組の情報が記載され、さらに、該当のサービスＩＤに対応するＴＳ＿ｉｄの値も記載されている。このＴＳ＿ｉｄの値についてもＥＰＧ ＤＢに蓄積する。
【００３６】
映像音声処理部１９は、例えばＭＰＥＧ−２用のビデオデコーダ（映像デコーダ）、オーディオデコーダ（音声デコーダ）、映像処理回路、音声処理回路等を内蔵している。映像音声処理部１９では、入力された音声のＴＳパケットストリームを音声デコーダでデコードして音声信号を生成し、音声処理回路で各種音声処理を施した後にその音声信号を音声出力部２１に出力する。音声出力部２１はその音声信号をＤ／Ａ変換し、例えば右（Ｒ）音のアナログ信号及び左（Ｌ）音のアナログ信号を生成して増幅して、スピーカに出力する。これによりスピーカから音声が発生する。
【００３７】
また、映像音声処理部１９では、入力された映像のＴＳパケットストリームを映像デコーダによりデコードして映像信号を生成し、映像処理回路で各種映像処理を施した後にその映像信号を映像出力部２０に出力する。この出力時には音声との同期を行うものとする。映像出力部２０は、映像音声処理部１９からの映像信号に基づいて映像表示装置に表示させる映像信号を生成する。そのため映像出力部２０は、例えばスケーラ、ＯＳＤ処理部、フレームメモリ等を内蔵しており、スケーリング、映像表示装置で表示可能な形式の映像信号（例えばコンポジット映像信号）への変換、ＯＳＤ画像の重畳などの処理を行い、映像表示装置へその映像信号を出力する。
【００３８】
予約処理部１５は、ＥＰＧ情報処理部１４からの依頼により、視聴予約及び／又は録画予約に関する処理を実行する。予約処理部１５は、本発明の主たる特徴となる予約設定部及び予約実行部を備える。予約設定部は、ＥＰＧからのユーザ操作に基づき、つまりＥＰＧを表示した状態で受け付けた番組選択操作に基づき、放送番組の視聴予約又は録画予約の設定を行う。予約の内容は、予約処理部１５の内部又は外部に設けられたＥＥＰＲＯＭ等の不揮発性メモリに格納しておけばよい。予約実行部は、その設定に従って予約時間の到来により放送番組の出力（視聴のための出力）又は放送番組の録画を実行する。無論、録画予約及び録画実行については、図示しないがテレビ装置１に録画装置が具備されるか接続されていることを前提とする。
【００３９】
上述のごとき構成のテレビ装置１で実行される、本発明の主たる特徴であるＥＰＧからの予約処理について、説明する。なお、以下では、説明の簡略化のため、視聴予約、録画予約を問わず「予約」として説明する。
図３は、図１のテレビ装置における予約処理の一例を説明するためのフロー図、図４は、図３の予約処理において判定に使用されるテーブルの一例を示す図である。
【００４０】
ユーザがＥＰＧ上で予約する番組を選択したとき、まず予約処理部１５の予約設定部は、ＥＰＧ上で先ほど選択された番組が、ＴＳ＿ｉｄが“０ｘ４３１０”であるか、若しくはＴＳ＿ｉｄが“０ｘ４３１１”であるか、若しくはbroadcaster_idが“０ｘ１５”であるかを判定する（ステップＳ１１）。
【００４１】
ここで、判定に用いたＴＳ＿ｉｄ及びbroadcaster_idについて説明する。各時期において、トランスポンダに対応する伝送周波数（伝送チャンネル）毎に、「０ｘ・・・・」で示すＴＳ＿ｉｄの放送サービスが複数、提供される。なお、「０ｘ」はその後に続く整数リテラル（ここでは４桁の数字）が１６進数表記であることを指す。このうち、ＴＳ＿ｉｄが“０ｘ４３１０”であれば、サービスＩＤが２９１，２９２，２９４の放送サービスが含まれ、ＴＳ＿ｉｄが“０ｘ４３１１”であれば、サービスＩＤが２９５，２９６，２９７，２９８の放送サービスが含まれる。これら合計７つのサービスＩＤは、７つのキー局の地上波デジタル放送（関東）の再送信サービスとして定められている。放送サービスの番号（ｓｅｒｖｉｃｅ＿ｉｄ）とＴＳ＿ｉｄの対応付けは、前述のＮＩＴに記載されており、取得したときに周波数情報と共に選局処理部１３へ保存すればよい。また、再送信サービスによって放送された番組（地デジ難視対策衛星放送の番組）であることは、broadcaster_idが“０ｘ１５”であることによっても判断できる。broadcaster_id“０ｘ１５”は、その放送番組が、社団法人デジタル放送推進協会が放送事業者となって放送されていることを示している。
【００４２】
このように、ステップＳ１１では、選択された番組が地デジ難視対策衛星放送の番組であるか否かを判定している。ステップＳ１１でＮＯの場合、つまりＴＳ＿ｉｄが“０ｘ４３１０”や“０ｘ４３１１”でなく、broadcaster_idが“０ｘ１５”でもない場合には、予約処理部１５の予約設定部は、ＥＰＧ上で先ほど選択された番組をそのまま予約する設定を行う（ステップＳ１７）。
【００４３】
ステップＳ１１でＹＥＳの場合には、予約処理部１５の予約設定部は図示しないＢ−ＣＡＳカード読取部に指示して契約情報を読み出し（ステップＳ１２）、地デジ難視対策衛星放送の受信契約が済んでいるか否かを判定する（ステップＳ１３）。予約設定部は、受信契約が済んでいる場合（ステップＳ１３でＹＥＳの場合）、ステップＳ１７へ進み、地デジ難視対策衛星放送の番組をそのまま予約する。
【００４４】
一方、受信契約がなされていない場合（ステップＳ１３でＮＯの場合）、予約設定部は、サービス番号（サービスＩＤ）に対応する地上デジタル放送のＴＳ＿ｉｄを読み出す（ステップＳ１４）。ステップＳ１４では先ほど選択された番組のサービスＩＤが“２９１”，“２９２”，“２９４”〜“２９８”のいずれかであるため、それぞれに対応するＴＳ＿ｉｄを読み出せばよい。ステップＳ１４の処理後、予約設定部は、ＥＰＧ情報処理部１４と協働して、サービスＩＤに対応して読み出したＴＳ＿ｉｄに基づきＥＰＧデータをＥＰＧ ＤＢから読み出す（ステップＳ１５）。
【００４５】
ステップＳ１５では、先ほど選択された番組のサービスＩＤに対応する地上デジタル放送の番組のＴＳ＿ｉｄを、図４で例示したような予め格納されたテーブル４５によって判定し、その判定の結果が示すＴＳ＿ｉｄの番組情報を読み出す。テーブル４５は、サービスＩＤとＴＳ＿ｉｄとの対応表であり、例えば先ほど選択された番組のサービスＩＤが“２９２”であった場合、ＴＳ＿ｉｄが“０ｘ７ＦＥ１”の番組情報を読み出す。そして、予約処理部１５の予約設定部は、読み出した番組情報で予約設定を実行する（ステップＳ１６）。ステップＳ１６で設定された予約は、先ほど選択された地デジ難視対策衛星放送の番組に対応する地上デジタル放送の放送番組の予約となり、予約処理部１５の予約実行部により正しく予約が遂行できる。
【００４６】
このように、本発明における予約処理部１５の予約設定部は、ＥＰＧから再送信番組（難視聴対策衛星放送番組）に対して予約を行うユーザ操作を受けた場合、自動的にその再送信番組に対応する地上デジタル放送の放送番組について予約の設定を行う。
【００４７】
上述した例では、予約設定部は、ステップＳ１３において、ＢＳデジタル放送による再送信番組についての受信契約情報が存在するか否かを判定している。この受信契約情報は再送信番組について共通である。従って、この判定は、ＥＰＧから再送信番組に対して予約の指示を受けた場合に行う代わりに、事前に行っておいてもよい。そして、上述したように、予約設定部は、存在しなかった場合（つまり非契約であった場合）のみ再送信番組に対応する地上デジタル放送の放送番組について予約の設定を行い、存在した場合（つまり契約済みであった場合）には、再送信番組についてそのまま予約の設定を行う。
【００４８】
これにより、ユーザが地上デジタル放送で放送される番組と誤って地デジ難視対策衛星放送の番組を予約する操作を行っても、視聴又は録画の失敗を防止することが可能になる。
【００４９】
また、この例では、再送信番組についての受信契約情報が存在しない場合のみ対応する地上デジタル放送の番組を用いた予約設定を行ったが、他の例として、この受信契約情報の有無に拘わらず地上デジタル放送での予約設定を実行するようにしてもよい。但し、その場合、予約処理部１５の予約実行部は、予約設定に基づき予約を実行する段階で、実行できない場合のみ（つまり地デジ難視聴世帯に対して）未契約であることや予約を実行できないことをユーザに通知すればよい。
【００５０】
上記他の例を採用した場合でも、可能な限り地上デジタル放送の番組を予約するため、地デジ難視聴世帯でない一般ユーザにとっては予約の実行の失敗を防止できる効果は得られ、地デジ難視聴世帯のユーザにとってもインフラの普及によってより精細な画質で予約できる効果は得られる。ここで、精細な画質で予約できる効果に関して補足する。地デジ難視聴世帯であっても、インフラの普及により地上デジタルが視聴できるようになる。そのような場合、難視聴対策衛星放送番組の受信契約が生きていたときでも、地上デジタル放送の方が地デジ難視聴対策衛星放送の番組より精細な画像で放送されているため、画質の面でこのような制御は有益である。
【００５１】
なお、テレビ装置１を購入して設定したばかりで且つ地デジ難視聴世帯でありながら未契約の場合には当然のことながら契約が必要となるが、これは本発明を適用するかしないかによって変わるものではない。
【００５２】
次に、図１、図２、図４〜図６を参照しながら本発明の予約処理の他の例について説明する。
図５は、図１のテレビ装置における予約処理の他の例を説明するためのフロー図、図６は、図５の予約処理で表示する問い合わせ画面の一例を示す図である。
【００５３】
ユーザがＥＰＧ上で予約する番組を選択したとき、まず予約処理部１５の予約設定部は、図３のステップＳ１１〜Ｓ１５，Ｓ１７と同様の処理を行う（ステップＳ２１〜Ｓ２５，Ｓ２９）。ステップＳ２５で、ＥＰＧデータを読み出した後、予約設定部は、図６の問い合わせ画面６０における再送信番組とそれに対応する地上デジタル放送の番組とについての番組情報６２のように、再送信番組に対応する地上デジタル放送の番組を提示して、番組を置き換えて予約をするか予約しないかを問い合わせる（ステップＳ２６）。問い合わせ画面６０では、問い合わせ文６１として、地デジ難視聴対策放送番組であって視聴不可であることを示すとともに、対応する地上デジタル放送で番組を予約するかを問い合わせている。また、問い合わせ画面６０では、問い合わせへの回答をユーザが選択可能なように「予約する」ボタン６３と「予約しない」ボタン６４とが表示されている。
【００５４】
予約設定部は、ボタン６３，６４のいずれが選択されたかを判定し（ステップＳ２７）、ボタン６４が選択された場合にはそのまま処理を終了し、ボタン６３が選択された場合には先に選択された再放送番組を対応する地上デジタル放送の番組に置き換えて予約設定を行う（ステップＳ２８）。なお、ステップＳ２８で置き換え後の地上デジタル放送の番組はステップＳ２４，Ｓ２５での読み出しにより決定されている。
【００５５】
このように、予約設定部は、ＢＳデジタル放送による再送信番組についての受信契約情報が存在するか否かを判定し、（ａ）存在した場合には、先ほど選択された再送信番組についてそのまま予約の設定を行い、（ｂ）存在しなかった場合には、先ほど選択された再送信番組に対応する地上デジタル放送の放送番組について予約の設定を行うか否かをユーザに問い合わせる。その結果、（ｂ−１）設定を行う旨のユーザ操作があった場合のみ再送信番組に対応する地上デジタル放送の放送番組について予約の設定を行い、（ｂ−２）設定を行わない旨のユーザ操作があった場合には予約の設定を実行しない。
【００５６】
これにより、ユーザに正しく予約できる番組を予約させることができ、また問い合わせはユーザへの警告機能もあるため、一般ユーザが地デジ難視対策衛星放送の番組を選択してしまうといった今後の誤操作を防止することもできる。
【００５７】
次に、図１、図２、図４、図７、及び図８を参照しながら本発明の予約処理の他の例について説明する。
図７は、図１のテレビ装置における予約処理の他の例を説明するためのフロー図、図８は、図７の予約処理で表示する問い合わせ画面の一例を示す図である。
【００５８】
ユーザがＥＰＧ上で予約する番組を選択したとき、まず予約処理部１５の予約設定部は、図５のステップＳ２１と同様の判定を行い（ステップＳ３１）、ＮＯの場合には図５のステップＳ２９と同様にそのまま予約設定を行う（ステップＳ３４）。ステップＳ３１でＹＥＳであった場合には図５のステップＳ２４，Ｓ２５と同様の処理を行ってＥＰＧデータを読み出す（ステップＳ３２，Ｓ３３）。
【００５９】
ステップＳ３３で、ＥＰＧデータを読み出した後、予約設定部は、図８の問い合わせ画面８０における再送信番組とそれに対応する地上デジタル放送の番組とについての番組情報８２のように、再送信番組に対応する地上デジタル放送の番組を提示して、そのまま予約するか、番組を置き換えて予約をするか、予約しないかを問い合わせる（ステップＳ３５）。問い合わせ画面８０では、問い合わせ文８１として、地デジ難視聴対策放送番組であることを示すとともに、そのまま予約するか、対応する地上デジタル放送で番組を予約するか、予約しないかを問い合わせている。また、問い合わせ画面８０では、問い合わせへの回答をユーザが選択可能なように「そのまま予約する」ボタン８３、「予約する（対応する地上デジタル放送で予約する）」ボタン８４、及び「予約しない」ボタン８５とが表示されている。
【００６０】
予約設定部は、ボタン８３〜８５のいずれが選択されたかを判定する。まず、予約設定部はボタン８３が選択されたか否かを判定し（ステップＳ３６）、ＹＥＳの場合にはそのまま予約設定する（ステップＳ３７）。ステップＳ３６でＮＯの場合には、予約設定部は、ボタン８４が選択されたか否かを判定し（ステップＳ３８）、ＹＥＳの場合には先に選択された再放送番組を対応する地上デジタル放送の番組に置き換えて予約設定を行う（ステップＳ３９）。ステップＳ３８でＮＯの場合には、ボタン８５が選択されたことを指しているためそのまま処理を終了する。なお、ステップＳ３７では、地デジ難視聴対策放送番組の受信について未契約か契約済みかを判定し、未契約であればその旨をユーザに表示し、予約設定しなければよい。また、ステップＳ３９で置き換え後の地上デジタル放送の番組はステップＳ３２，Ｓ３３での読み出しにより決定されている。
【００６１】
このように、予約設定部は、（ｉ）再送信番組に対応する地上デジタル放送の放送番組について予約の設定を行うか、（ｉｉ）再送信番組についてそのまま予約の設定を行うかを、ユーザに問い合わせるようにしてもよい。ここで、上記（ｉ）の設定を促すような問い合わせ文であることが好ましい。そして、予約設定部は、上記（ｉ）を示すユーザ操作があった場合のみ、再送信番組に対応する地上デジタル放送の放送番組について予約の設定を行い、上記（ｉｉ）を示すユーザ操作があった場合には、再送信番組についてそのまま予約の設定を行うとよい。
【００６２】
これにより、ユーザに正しく予約できる番組を予約させることができ、また問い合わせはユーザへの警告機能もあるため、一般ユーザが地デジ難視対策衛星放送の番組を選択してしまうといった今後の誤操作を防止することもできる。また、地デジ難視対策衛星放送の受信について契約済みか否かを問わずに問合せを行っているため、地デジ難視聴世帯のユーザにとってインフラの普及によってより精細な画質で予約できる機会を得るといった効果を奏す。
【００６３】
以上、本発明について、ＥＰＧが放送波により伝送される番組情報を利用した番組表であることを前提に説明したが、ＥＰＧが取得して表示できればよい。従って、本発明に係る予約処理はネットワーク経由で取得したＥＰＧであっても同様に適用できる。
また、ＥＰＧとしてＢＳデジタル放送のみの放送番組からなるＥＰＧを図２で例示して説明したが、ＢＳデジタル放送及び地上デジタル放送の双方で放送される番組を一緒に表示するような番組表からでも同様の番組選択及び予約処理は可能である。
【００６４】
また、本発明に係るデジタル放送受信装置が、衛星デジタル放送で再送信を行っている状況で再送信番組の予約の設定を行う装置であると説明した。同様に、本発明に係るデジタル放送受信装置は、衛星デジタル放送だけでなく、地上デジタル放送で放送される放送番組についての再送信番組を含む、ＩＰ（Internet Protocol）テレビ放送も受信可能に構成してもよい。そしてそのような構成において、予約設定部が、ＩＰテレビ放送（ＩＰ放送）の放送番組を含むように並べたＥＰＧから再送信番組に対して視聴予約又は録画予約を行うユーザ操作を受けた場合、その再送信番組に対応する地上デジタル放送の放送番組について、視聴予約又は録画予約の設定を行えばよい。なお、ＩＰテレビ放送の場合には、ＥＰＧはネットワーク経由で取得すればよい。また、衛星デジタル放送について説明した応用例は、ＩＰテレビ放送にも同様に適用できる。無論、デジタル放送受信装置は、ＩＰテレビ放送と地上デジタル放送とのみを受信可能にし、このような再送信番組の予約の設定を行うようにしてもよい。
【符号の説明】
【００６５】
１…テレビ装置、１０…リモコン、１１…キー入力処理部、１２…メニュー処理部、１３…選局処理部、１４…ＥＰＧ情報処理部、１５…予約処理部、１６…チューナ、１７…ＤＥＭＵＸ、１８…復号器、１９…映像音声処理部、２０…映像出力部、２１…音声出力部、３０…ＥＰＧ。
【図１】
2012019375.tif 000003
【図２】
2012019375.tif 000004
【図３】
2012019375.tif 000005
【図４】
2012019375.tif 000006
【図５】
2012019375.tif 000007
【図６】
2012019375.tif 000008
【図７】
2012019375.tif 000009
【図８】
2012019375.tif 000010